(57)【要約】【課題】フレームの中央よりも先端側において被打対象物を打ち返す速度を高めること。【解決手段】グリップと、環状のフレームと、前記グリップと前記フレームとを連結するシャフトと、を有するラケットであって、前記フレームは、前記シャフトの延びるシャフト軸方向について中央領域と、前記シャフト軸方向について前記中央領域より前記シャフト側の根元領域と、前記シャフト軸方向について前記中央領域より前記ラケットの先端側の先端領域と、を有し、前記フレームの面の垂線方向の厚さが、前記根元領域及び前記先端領域よりも前記中央領域において薄いこと特徴とするラケット。【選択図】図２
2014226340.tif 000002
【特許請求の範囲】
【請求項１】
グリップと、環状のフレームと、前記グリップと前記フレームとを連結するシャフトと、を有するラケットであって、
前記フレームは、
前記シャフトの延びるシャフト軸方向について中央領域と、
前記シャフト軸方向について前記中央領域より前記シャフト側の根元領域と、
前記シャフト軸方向について前記中央領域より前記ラケットの先端側の先端領域と、
を有し、前記フレームの面の垂線方向の厚さが、前記根元領域及び前記先端領域よりも前記中央領域において薄いこと特徴とするラケット。
【請求項２】
請求項１に記載のラケットであって、
前記中央領域におけるフレームの弾性率が、前記先端領域におけるフレームの弾性率及び前記根元領域におけるフレームの弾性率よりも高いことを特徴とするラケット。
【請求項３】
請求項１又は２に記載のラケットであって、
前記中央領域におけるフレームの材料が、前記先端領域におけるフレームの材料及び前記根元領域におけるフレームの材料の少なくともいずれか一方と異なることを特徴とするラケット。
【請求項４】
請求項１乃至請求項３のいずれかに記載のラケットであって、
前記中央領域は、前記シャフト軸方向について前記フレームの中央から等間隔で広がる領域であることを特徴とするラケット。
【請求項５】
請求項１乃至請求項４のいずれかに記載のラケットであって、
前記中央領域の前記シャフト軸方向についての幅は、前記先端領域及び前記根元領域の前記シャフト軸方向についての幅よりも狭いことを特徴とするラケット。
【発明の詳細な説明】
【技術分野】
【０００１】
本発明は、バドミントン等に使用されるラケットに関する。
【背景技術】
【０００２】
バドミントンは、素早くシャトルを打ち落とすことが求められる競技である。このため、高い反発力を有するバドミントンラケットが開発されてきた。
【０００３】
特許文献１には、カーボンナノチューブを含むカーボンファイバープリプレグ成形体を有するバドミントンラケットが開示されている。
【先行技術文献】
【特許文献】
【０００４】
【特許文献１】特開２０１２−１４７８４６号公報
【発明の概要】
【発明が解決しようとする課題】
【０００５】
ラケットを振り抜く際に、可能な限り腕から遠い位置でシャトルを打ち返せばシャトルに対するストリングの接触速度を高めることができる。そのため、上級者はスマッシュ等を打つときにラケットフレームの中央よりも先端側でシャトル等を打ち返すことが多いのであるが、フレームの中央よりも上端側においてシャトル等の被打対象物を打ち返した際に、被打対象物が打ち出される速度をさらに高めることがプレーヤーの間で望まれている。
【０００６】
本発明は、かかる事情に鑑みてなされたものであり、その目的とするところは、フレームの中央よりも先端側において打ち返された被打対象物の打ち出し速度を高めることである。
【課題を解決するための手段】
【０００７】
上記目的を達成するための主たる発明は、
グリップと、環状のフレームと、前記グリップと前記フレームとを連結するシャフトと、を有するラケットであって、
前記フレームは、
前記シャフトの延びるシャフト軸方向について中央領域と、
前記シャフト軸方向について前記中央領域より前記シャフト側の根元領域と、
前記シャフト軸方向について前記中央領域より前記ラケットの先端側の先端領域と、
を有し、前記フレームの面の垂線方向の厚さが、前記根元領域及び前記先端領域よりも前記中央領域において薄いこと特徴とするラケットである。
【０００８】
本発明の他の特徴については、本明細書及び図面の記載により明らかにする。
【発明の効果】
【０００９】
本発明のラケットによれば、中央領域のフレームが面の垂線方向について薄いため、ラケットを振り抜く際に中央領域をキックポイントとしてフレームを変形させることができる。そして、中央より上端側の反発力を高めることができる。そのため、フレームの中央よりも先端側において打ち返された被打対象物の打ち出し速度を高めることができる。
【図面の簡単な説明】
【００１０】
【図１】図１Ａは、本実施形態におけるバドミントンラケット１の正面図であり、図１Ｂは、本実施形態におけるバドミントンラケット１の側面図である。
【図２】ラケット１のフレーム１０の側面図である。
【図３】先端領域１１に外力が加わったときにおけるフレーム１０の説明図である。
【発明を実施するための形態】
【００１１】
＝＝＝開示の概要＝＝＝
本明細書及び図面の記載により、少なくとも、以下の事項が明らかとなる。
すなわち、グリップと、環状のフレームと、前記グリップと前記フレームとを連結するシャフトと、を有するラケットであって、前記フレームは、前記シャフトの延びるシャフト軸方向について中央領域と、前記シャフト軸方向について前記中央領域より前記シャフト側の根元領域と、前記シャフト軸方向について前記中央領域より前記ラケットの先端側の先端領域と、を有し、前記フレームの面の垂線方向の厚さが、前記根元領域及び前記先端領域よりも前記中央領域において薄いこと特徴とするラケットである。
このようなラケットによれば、中央領域のフレームが面の垂線方向について薄いため、ラケットを振り抜く際に中央領域をキックポイントとしてフレームを変形させることができる。そして、中央より上端側の反発力を高めることができる。そのため、フレームの中央よりも先端側において打ち返された被打対象物を打ち出し速度を高めることができる。
【００１２】
かかるラケットであって、前記中央領域におけるフレームの弾性率が、前記先端領域におけるフレームの弾性率及び前記根元領域におけるフレームの弾性率よりも高いことを特徴とするラケットである。
このようなラケットによれば、中央領域における弾性率が高いため、中央領域をキックポイントとして変形が生じた場合であっても、その変形に対する復元力をより高めることができる。そして、高められた復元力によって被打対象物の打ち出し速度をより高めることができる。
【００１３】
かかるラケットであって、前記中央領域におけるフレームの材料が、前記先端領域におけるフレームの材料及び前記根元領域におけるフレームの材料の少なくともいずれか一方と異なることを特徴とするラケットである。
このようなラケットによれば、中央領域におけるフレームの材料を他の領域のフレームの材料と異ならせて、中央領域におけるフレームの弾性率を他の領域のフレームの弾性率よりも高めることができる。
【００１４】
かかるラケットであって、前記中央領域は、前記シャフト軸方向について前記フレームの中央から等間隔で広がる領域であることを特徴とするラケットである。
このようなラケットによれば、シャフト軸方向についてフレームの真の中央部分を中央領域とすることができるので、バランスに優れ、振り抜きやすいラケットを提供することができる。
【００１５】
かかるラケットであって、前記中央領域の前記シャフト軸方向についての幅は、前記先端領域及び前記根元領域の前記シャフト軸方向についての幅よりも狭いことを特徴とするラケットである。
【００１６】
このようなラケットによれば、幅の狭い中央領域で局部的にフレームが変形するため、より高い反発力をもって先端領域で被打対象物を打ち返すことができる。
【００１７】
＝＝＝ラケット１について＝＝＝
以下、本実施形態に係るラケットとして、バドミントンラケットを例に挙げて説明を行う。
【００１８】
図１Ａは、本実施形態におけるバドミントンラケット１の正面図であり、図１Ｂは、本実施形態におけるバドミントンラケット１の側面図である。バドミントンラケット１（以下、単に、「ラケット１」ということがある）は、環状のフレーム１０とシャフト２０とグリップ３０を備える。フレーム１０には、ストリング４０が張られる。なお、図１Ａには、ラケット１の上下方向（シャフト軸方向）についてのフレーム１０の中央の位置が符号Ｃｔとして示されている。
【００１９】
図２は、ラケット１のフレーム１０の側面図である。図２では、シャフト２０が延びるシャフト軸方向についてフレーム１０を先端領域１１と中央領域１２と根元領域１３の３つの領域に分割して示している。また、図２において、中央領域１２が、フレーム１０の中央Ｃｔからシャフト軸方向について等間隔Ｄで広がる領域であることが示されている。
【００２０】
本実施形態におけるラケット１のフレーム１０において、中央領域１２は図２に示される側面図においてその厚さが先端領域１１及び根元領域１３よりも薄くなるように形成されている。具体的には、図２に示されるように中央領域１２の厚さＴＨ２が、先端領域１１の厚さＴＨ１及び根元領域１３の厚さＴＨ３よりも薄くなるように形成されている。
【００２１】
また、本実施形態において、この中央領域１２のシャフト軸方向についての幅は、先端領域１１及び根元領域１３のシャフト軸方向についての長さよりも短くされる。具体的には、図２に示されるように中央領域の幅Ｌ２が、先端領域１１の幅Ｌ１及び根元領域１３の幅Ｌ３よりも狭くなるように形成されている。
【００２２】
また、フレーム１０において、中央領域１２の材料は、先端領域１１の材料及び根元領域１３の材料とは異なる材料が選択される。このとき、中央領域１２におけるフレーム１０の引張弾性率が、先端領域１１及び根元領域１３の引張弾性率よりも高くなるように材料が選択される。このようにするために、中央領域１２におけるフレーム１０の材料を、根元領域１３におけるフレーム１０の材料及び先端領域１１におけるフレーム１０の材料の少なくともいずれか一方と異ならせることができる。
【００２３】
例えば、先端領域１１及び根元領域１３の材料として引張弾性率が２００〜２６０（ＧＰａ）の材料を選択するのに対し、中央領域１２におけるフレーム１０の材料として引張弾性率が３５０（ＧＰａ）以上の材料を選択することができる。例えば、先端領域１１及び根元領域１３の材料としては、カーボンを採用できる。
【００２４】
また、例えば、中央領域１２におけるフレーム１０の引張弾性率が４５０（ＧＰａ）となる材料を選択することもできる。
【００２５】
なお、上記のような引張弾性率を高めるにあたっては、原材料となるポリアクリロニトリルを炭素繊維に製造する際の熱処理温度を高めたり、熱処理時間を長くすることで実現することができる。
【００２６】
このようなラケット１によれば、中央領域１２のフレームのみが側面視について薄い（フレーム１０の面の垂線方向について薄い）ため、ラケット１を振り抜く際に中央領域１２をキックポイントとしてフレーム１０を変形させることができる。ここで、フレーム１０のキックポイントとは、ラケット１を振ったときにフレーム１０において最もしなる位置をいう。すなわち、ラケット１を振り抜く際に中央領域１２を局所的にしならせて、シャトルを打ち返すことができる。
【００２７】
図３は、先端領域１１に外力が加わったときにおけるフレーム１０の説明図である。図３には、フレーム１０の側面図が示されている。そして、先端領域１１に矢印で示す力が加わったときにおいて、中央領域１２をキックポイントとしてフレーム１０が変形する様子が示されている。
【００２８】
このように中央領域１２を最もしなる位置とすることで、中央より先端側の反発力を高めることができる。そのため、プレーヤーが中央よりも先端側でシャトルを打ち返した際に、シャトルの打ち出し速度をより高めることができる。特に、バドミントンにおいては、先端側でシャトルを打つ傾向にあるので、より効果的に、打ち返したシャトルの速度を速めることができる。
【００２９】
また、中央領域１２におけるフレーム１０の材料を他の領域のフレームの材料と異ならせることで、中央領域１２におけるフレーム１０の弾性率が、根元領域１３におけるフレーム１０の弾性率及び先端領域１１におけるフレームの弾性率よりも高く設定されるので、中央領域１２をキックポイントとして変形が生じた場合であっても、その高い復元力によりその変形が元の形状に戻りやすいという性質を有する。そのため、その復元力から生ずる反発力によりシャトル等が打ち出される速度を高めることができる。
【００３０】
つまり、本実施形態では、中央領域１２を細くすることでフレーム１０の部分的なしなりやすさを実現し、さらに、中央領域１２における材料に高弾性材料を採用することとして復元力を高めて、シャトルに対する高い反発力を実現することができる。
【００３１】
また、前述のように、中央領域１２をフレームの中央Ｃｔからシャフト軸方向について等間隔Ｄで広がる領域としているので、フレーム１０の真に中央の部分を中央領域１２とすることができる。そして、バランスに優れ、振り抜きやすいラケット１を提供することができる。
【００３２】
また、中央領域１２のシャフト軸方向についての幅Ｌ２を、先端領域１１のシャフト軸方向についての幅Ｌ１及び根元領域１３のシャフト軸方向についての幅Ｌ３よりも狭くしているので、ラケット１を振り抜いたとき、幅の狭い中央領域１２で局所的にフレームが変形する。よって、より高い反発力をもってフレーム１０の先端領域でシャトルを打ち返すことができる。
【００３３】
特に、バドミントンプレーヤーの上級者においては、スマッシュを打つときにフレーム１０の先端側でシャトルを打ち返す傾向にあるが、上記のような構成とすることで、打ち返したシャトルの速度をより速くすることができる。
【００３４】
＝＝＝その他の実施形態＝＝＝
上記の実施形態は、本発明の理解を容易にするためのものであり、本発明を限定して解釈するためのものではない。本発明は、その趣旨を逸脱することなく、変更、改良され得るとともに、本発明にはその等価物が含まれるのはいうまでもない。
【００３５】
＜ラケット＞
上記の実施形態においては、バドミントンラケットを例に挙げて説明したが、これに限定されるものではない。たとえば、テニスやスカッシュ等のラケットにも適用することができる。
【００３６】
また、上記実施形態では、ストリング４０が張られている状態のバドミントンラケット１を例として説明したが、バドミントンラケット１本体としては、ストリングが張られていない状態のものも本技術的思想に含まれる。
【００３７】
また、上記実施形態において、中央領域１２の材料として引張弾性率が３５０（ＧＰａ）以上の材料を採用し、先端領域１１及び根元領域１３において２００〜２６０（ＧＰａ）の材料を採用することとして説明を行ったが、中央領域１２におけるフレーム１０の弾性率が、根元領域１３におけるフレーム１０の弾性率及び先端領域１１におけるフレーム１０の弾性率よりも高ければ、材料はこれに限られない。
【００３８】
また、上記実施形態において、中央領域１２が、フレームの中央からシャフト軸方向について等しい間隔Ｄで広がる領域であることとしたが、等しい領域でなくともよい。
【００３９】
また、上記実施形態において、中央領域１２のシャフト軸方向の幅が先端領域１１及び根元領域１３のシャフト軸方向の幅よりも狭いこととしたが、中央領域１２の幅を他の領域の幅以上に設定することも可能である。
【符号の説明】
【００４０】
１  バドミントンラケット、
１０  フレーム、１１  先端領域、１２  中央領域、１３  根元領域、
２０  シャフト、３０  グリップ、４０  ストリング
【図１】
2014226340.tif 000003
【図２】
2014226340.tif 000004
【図３】
2014226340.tif 000005